(57)【要約】【課題】デジタル信号を送信することができない場合に自動的にアナログ信号に切り替えて信号の送信を行う。【解決手段】記録制御装置１０の接続状態判定部１２は、録画要求部１１の録画要求制御に応じてデジタル信号用のラインＤの接続状態を判定する。ラインＤを介したデジタル号の送信が可能である場合、デジタル制御部１４の制御によりラインＤを介してデジタル信号を記録装置２０に送信する。また接続状態判定部１２が、ラインＤによる送信が不可能であると判定したときには、信号接続制御部１３は使用ラインをアナログに切り替える。ここではアナログ制御部１５は、アナログ用のラインＡによって記録制御装置１０と記録装置２０とのアナログ接続を行い、ＩＲ−Ｍｏｕｓｅ用のラインＲを使用して録画コマンド等の制御信号の送受信を行う。【選択図】図１
2007141397.tif 000002
【特許請求の範囲】
【請求項１】
デジタル信号とアナログ信号との双方を記録可能な記録装置を制御するための記録制御装置において、該記録制御装置は、前記記録装置に記録させるためのデジタル信号が送信できないときに、自動的にアナログ信号に切り替えて前記記録装置に記録させる制御を行うことを特徴とする記録制御装置。
【請求項２】
請求項１に記載の記録制御装置において、該記録制御装置は、前記記録装置に対してデジタル信号を送信するバスの状態を判定し、該判定した結果によりデジタル信号が送信できないときに、前記自動的にアナログ信号に切り替える制御を行うことを特徴とする記録制御装置。
【請求項３】
請求項２に記載の記録制御装置において、前記デジタル信号を送信するバスにバスリセットが頻発する場合、もしくは該バスにおいて前記デジタル信号を送信する帯域確保が困難な場合に、前記デジタル信号が送信できないものと判定することを特徴とする記録制御装置。
【請求項４】
請求項１に記載の記録制御装置において、該記録制御装置は、前記記録装置に記録させるためのデジタル信号にコピーを禁止するコピー制御情報が含まれている場合、自動的にアナログ信号に切り替える制御を行うことを特徴とする記録制御装置。
【請求項５】
請求項１または４に記載の記録制御装置において、前記記録装置に記録すべき信号がデジタル信号かアナログ信号かを判定し、該判定結果に従って前記記録装置に対する信号の送信と制御とを行うことを特徴とする記録制御装置。
【請求項６】
デジタル信号とアナログ信号との双方を記録可能な記録装置を制御するための記録制御方法において、前記記録装置に記録させるためのデジタル信号が送信できないときに、自動的にアナログ信号に切り替えて前記記録装置に記録させる制御を行うことを特徴とする記録制御方法。
【請求項７】
請求項６に記載の記録制御方法において、前記記録装置に対してデジタル信号を送信するバスの状態を判定し、該判定した結果によりデジタル信号が送信できないときに、前記自動的にアナログ信号に切り替える制御を行うことを特徴とする記録制御方法。
【請求項８】
請求項７に記載の記録制御方法において、前記デジタル信号を送信するバスにバスリセットが頻発する場合、もしくは該バスにおいて前記デジタル信号を送信する帯域確保が困難な場合に、前記デジタル信号が送信できないものと判定することを特徴とする記録制御方法。
【請求項９】
請求項６に記載の記録制御方法において、該記録制御方法は、前記記録装置に記録させるためのデジタル信号にコピーを禁止するコピー制御情報が含まれている場合、自動的にアナログ信号に切り替える制御を行うことを特徴とする記録制御方法。
【請求項１０】
請求項６または９に記載の記録制御方法において、前記記録装置に記録すべき信号がデジタル信号かアナログ信号かを判定し、該判定結果に従って前記記録装置に対する信号の送信と制御とを行うことを特徴とする記録制御方法。
【発明の詳細な説明】
【技術分野】
【０００１】
本発明は、記録制御装置及び記録制御方法に関し、より詳細には、デジタル信号とアナログ信号との双方を記録可能な記録装置に対して映像信号を出力し、記録装置の記録動作を制御するための記録制御装置及び記録制御方法に関する。
【背景技術】
【０００２】
デジタル映像信号を記録可能な記録装置が提供されている。記録装置は、例えば、デジタル放送のＭＰＥＧストリームを入力し、ＨＤＤや光ディスク等の記録媒体に対して記録するための所定のフォーマット処理などを行った後、所定の記録媒体に記録する。記録装置は、通常、記録した映像信号を再生する機能を備えた記録再生装置として提供される。
【０００３】
上記のような記録装置に映像信号を記録させる場合、例えばデジタル放送チューナで受信したデジタル放送信号にデコード等の処理を施して、記録すべき映像信号として入力させる。あるいは、他の記録媒体に記録されたデジタル映像信号を記録装置に送信して、記録させるようにしている。
【０００４】
上記のようなデジタル信号を入力するデジタルＩ／Ｆに対しては、通常例えばＩＥＥＥ１３９４インターフェースやイーサネット（登録商標）などが適用される。例えばＩＥＥＥ１３９４は、高速なリアルタイム伝送が可能で、著作権保護機能があるために、高画質のセキュアな伝送が可能であり、デジタルＡＶ機器間の接続に主に使用される。
【０００５】
また例えば、デジタル放送用デコーダには、ＩＥＥＥ１３９４の出力端子だけでなく、従来のアナログ放送用出力端子も備えられている。そして記録装置においても、デジタル放送信号とアナログ放送信号の双方を記録することが可能に構成されているものがある。
【０００６】
例えば、特許文献１には、デジタル放送用入力端子とアナログ放送用入力端子とを備えてデジタル放送信号とアナログ放送信号とを記録可能とし、ユーザが録画モードのビットレートの設定を誤った場合であっても録画を確実に行うことができるようにしたデジタル放送記録再生装置が開示されている。このデジタル放送記録再生装置は、入力するデジタル放送信号とアナログ放送信号とを切り替える入力切換部と、デジタル放送信号のシーケンスヘッダに放送情報として含まれるビットレートを検出するビットレート検出部と、ビットレート検出部で検出されたビットレートと設定値とを比較して、検出されたビットレートがビットレート設定入りより大きいときにはアナログ放送信号に切り替えて記録する制御とを備えている。
【特許文献１】実用新案登録第３０７３０６０号公報
【発明の開示】
【発明が解決しようとする課題】
【０００７】
上記のように例えばＩＥＥＥ１３９４では、高速なリアルタイム伝送が可能で、著作権保護機能があるために、高画質のセキュアな伝送が可能である。デジタル機器間をこのようなデジタルインターフェースのバスで接続することによって、デジタル信号を記録可能な記録装置をバスを介して制御することができる。このような記録制御装置は、通常はデジタル信号を記録装置に記録させるように制御する。
【０００８】
例えば一例として、放送信号を受信可能なテレビジョン受像機と、そのテレビジョン受像機に接続された記録装置を考える。テレビジョン受像機には上記の記録制御装置に相当する機能が含まれていて、記録装置に対するテレビジョン放送信号の記録を制御することができる。例えば、記録制御装置は、テレビジョン放送信号の予約録画設定に従って記録装置の動作を制御し、所定の時刻や所定番組の受信時にそのテレビジョン放送信号を記録装置に出力させる。記録装置では、記録制御装置の制御に従って予約された番組の放送信号を所定の媒体に記録する。
【０００９】
しかしながら上記のような記録制御装置から記録装置にデジタル放送信号を出力する際に、信号を送信するバスにおいてバスリセットが頻発したり、バスの帯域が確保できない等によりデジタル信号を適正に記録再生装置に送信することができないという問題が生じることがある。バスリセットは、例えば、不適正な機器がバスに接続されて帯域を占有したり、バスに対する機器の挿抜が行われることにより発生する。
【００１０】
このような問題は、たとえ上記のようにデジタル信号入力とアナログ信号入力との両方記録することができる記録装置であっても、記録制御装置側からデジタル信号が出力できないような問題が生じた場合には、記録装置にデジタル信号を記録させることができない。
この場合、例えばデジタル信号の出力に問題が生じたときに、記録制御装置や記録装置を操作してアナログ信号出力に切り替えたり、あるいは予約録画の場合には、予めデジタル送信が不可能であることを予測して、アナログ送信に切り替えておく操作を行わなくてはならない。
【００１１】
また上記特許文献１の場合は、デジタル放送信号からそのビットレートを検出して、所定値よりもそのビットレートが大きいときにアナログ信号に切り替えるもので、上記のようなバスリセットや帯域不足等による不具合には対処することができない。
【００１２】
また記録制御装置が、記録装置の動作を制御するときに、記録すべき信号（放送信号等）にコピー制御情報が含まれていて、例えばデジタル信号としてはコピー記録が不可能である場合には、記録装置にデジタル信号を記録させることができない。このとき、例えば、デジタル信号としてはコピー記録が不可能であるが、アナログ信号としてのコピーが可能である場合などに、アナログ信号が記録可能であることをユーザが認識し、デジタル信号からアナログ信号に切り替える操作を行わなくてはならない。
【００１３】
本発明は、上述のごとき実情に鑑みてなされたもので、記録装置に信号を送信して該記録装置の記録動作を制御する記録御装置において、バスリセットが頻発したり帯域確保が困難であったりすることでデジタル信号を送信することができない場合に、自動的にアナログ信号に切り替えて信号の送信を行うように制御する記録制御装置と記録制御方法とを提供することを目的とするものである。
【００１４】
さらに本発明は、記録装置に信号を送信して該記録装置の記録動作を制御する記録制御装置において、記録装置に記録しようとする信号のコピー制御情報に応じて、録画可能な信号を自動選択して記録装置に送信できるようにした記録制御装置と記録制御方法とを提供することを目的とするものである。
【課題を解決するための手段】
【００１５】
上記課題を解決するために、第１の技術手段は、デジタル信号とアナログ信号との双方を記録可能な記録装置を制御するための記録制御装置において、記録制御装置は、記録装置に記録させるためのデジタル信号が送信できないときに、自動的にアナログ信号に切り替えて記録装置に記録させる制御を行うことを特徴としたものである。
【００１６】
第２の技術手段は、第１の技術手段において、記録制御装置が、記録装置に対してデジタル信号を送信するバスの状態を判定し、判定した結果によりデジタル信号が送信できないときに、自動的にアナログ信号に切り替える制御を行うことを特徴としたものである。
【００１７】
第３の技術手段は、第２の技術手段において、デジタル信号を送信するバスにバスリセットが頻発する場合、もしくはバスにおいてデジタル信号を送信する帯域確保が困難な場合に、デジタル信号が送信できないものと判定することを特徴としたものである。
【００１８】
第４の技術手段は、第１の技術手段において、記録制御装置が、記録装置に記録させるためのデジタル信号にコピーを禁止するコピー制御情報が含まれている場合、自動的にアナログ信号に切り替える制御を行うことを特徴としたものである。
【００１９】
第５の技術手段は、第１または第４の技術手段において、記録装置に記録すべき信号がデジタル信号かアナログ信号かを判定し、判定結果に従って記録装置に対する信号の送信と制御とを行うことを特徴としたものである。
【００２０】
第６の技術手段は、デジタル信号とアナログ信号との双方を記録可能な記録装置を制御するための記録制御方法において、記録装置に記録させるためのデジタル信号が送信できないときに、自動的にアナログ信号に切り替えて記録装置に記録させる制御を行うことを特徴としたものである。
【００２１】
第７の技術手段は、第６の技術手段において、記録装置に対してデジタル信号を送信するバスの状態を判定し、判定した結果によりデジタル信号が送信できないときに、自動的にアナログ信号に切り替える制御を行うことを特徴としたものである。
【００２２】
第８の技術手段は、第７の技術手段において、デジタル信号を送信するバスにバスリセットが頻発する場合、もしくはバスにおいてデジタル信号を送信する帯域確保が困難な場合に、デジタル信号が送信できないものと判定することを特徴としたものである。
【００２３】
第９の技術手段は、第６の技術手段において、記録制御方法が、記録装置に記録させるためのデジタル信号にコピーを禁止するコピー制御情報が含まれている場合、自動的にアナログ信号に切り替える制御を行うことを特徴としたものである。
【００２４】
第１０の技術手段は、第６または第９の技術手段において、記録装置に記録すべき信号がデジタル信号かアナログ信号かを判定し、判定結果に従って記録装置に対する信号の送信と制御とを行うことを特徴としたものである。
【発明の効果】
【００２５】
本発明によれば、記録装置に信号を送信して該記録装置の記録動作を制御する記録制御装置において、バスリセットが頻発したり帯域確保が困難であったりすることでデジタル信号を送信することができない場合に、自動的にアナログ信号に切り替えて信号の送信を行うように制御する記録制御装置と記録制御方法とを提供することができる。
【００２６】
さらに本発明によれば、記録装置に信号を送信して該記録装置の記録動作を制御する記録制御装置において、記録しようとする信号のコピー制御情報に応じて、録画可能な信号を自動選択して記録装置に送信できるようにした記録制御装置と記録制御方法とを提供することができる。
【発明を実施するための最良の形態】
【００２７】
図１は、本発明の記録制御装置の一実施形態を説明するためのブロック図である。記録制御装置１０は、例えば、テレビジョン受像機に内蔵もしくは接続された構成を有し、テレビジョン受像機で受信された放送信号を記録装置に送信して、記録装置の記録媒体に記録させる制御を行う。この場合、記録再生装置は、放送番組の予約録画などの制御を行うことができる。
記録制御装置１０は、上記のようなテレビジョン受像機に付帯する構成に限定されることはない。例えば、他の記録媒体を再生可能な再生装置から送信される映像信号等を、記録装置２０に出力して記録制御を行うような形態であってもよく、あるいはネットワークを利用して入力される映像信号等を記録装置２０に出力する形態であってもよい。
【００２８】
図１の記録制御装置１０は、記録装置に対してデジタル信号とアナログ信号との双方を送信可能に構成されている。そしてこの場合、記録装置２０は、デジタル信号とアナログ信号との双方が記録可能なものが使用される。
デジタル信号とアナログ信号は、例えば、サイマルキャスト放送によって同一のコンテンツがデジタルとアナログの両方で放送されている場合に、デジタルチューナとアナログチューナとを備えたテレビジョン受像機によって取得することができる。そしてこのようなテレビジョン受像機に内蔵または接続された記録制御装置１０によって、同一のコンテンツでデジタル信号とアナログ信号の双方を送信可能とすることができる。
【００２９】
この場合、記録制御装置１０と記録装置２０とを接続するバスラインとして、デジタル信号を送信するデジタル信号送信用のラインＤと、アナログ信号送信用のラインＡと、アナログによる録画制御信号を送出するＩＲ―Ｍｏｕｓｅ用のラインＲとが使用される。デジタル信号送信用のラインＤには、上述のようなＩＥＥＥ１３９４やイーサネット（登録商標）等が適用される。またＩＲ−Ｍｏｕｓｅ用のラインＲは、ＤＶＤ等の記録再生装置のリモコン信号と同様の赤外線信号（リモコンコード信号）を送信することにより、記録装置２０の録画動作の制御を行う。アナログ信号送信用のラインＡは、例えば映像信号のアナログコンポジット信号を送信し、このときの制御信号をＩＲ−Ｍｏｕｓｅ用のラインＲにて送信する。
【００３０】
図１の例において、記録制御装置１０の録画要求部１１は、ユーザによる録画予約等の設定操作に従って、記録装置２０に対する録画要求を実行する。ユーザによる設定操作は、例えば記録制御装置１０が内蔵もしくは接続されたテレビジョン受像機に対して行われる。また記録制御装置１０が操作入力部を備えてその操作入力部に対する設定操作に応じて記録（録画）制御を行うようにしてもよい。
【００３１】
録画要求部１１は、上記のような録画予約操作や録画実行操作等に応じて、録画対象の信号（放送映像信号等）を記録装置２０に送信する制御を行う。この場合、記録制御装置１０の信号接続制御部１３は、まずデジタル制御部１４によってラインＤを介してデジタル信号を記録装置２０に送信する処理を開始する。
このとき接続状態判定部１２は、録画要求部１１の録画要求制御に応じてデジタル信号用のラインＤの接続状態を判定する。ここでは例えば、デジタル制御部１４によって記録制御装置１０から録画要求のコマンドをラインＤを介して記録装置２０に送信し、その応答に基づいて記録装置２０との接続を確立する。このときに接続状態判定部１２は、ラインＤを介したデジタル信号の送信が可能かどうかを判定する。
【００３２】
接続状態判定部１２が、ラインＤを介したデジタル信号の送信が可能であるものと判定したときには、信号接続制御部１３はデジタル制御部１４を動作させ、ラインＤを介してデジタル信号を記録装置２０に送信する。記録装置２０では、記録制御装置１０による制御に従ってラインＤを介して送信されたデジタル信号を所定の記録媒体に記録する。
【００３３】
一方、接続状態判定部１２が、ラインＤによる送信が不適当あるいは不可能であると判定したときには、信号接続制御部１３は、使用ラインをアナログに切り替える。ここではアナログ制御部１５は、アナログ用のラインＡによって記録制御装置１０と記録装置２０とのアナログ接続を行い、ＩＲ−Ｍｏｕｓｅ用のラインＲを使用して録画コマンド等の制御信号の送受信を行う。
【００３４】
上記のような構成により、記録装置２０に対するデジタル出力ができない場合には、記録制御装置１０が自動的に判断してアナログ出力を行うようにし、そのアナログ出力されたアナログ信号を記録装置２０で記録するように制御することができる。すなわちここでは、デジタルラインの補助として、アナログラインや、デジタルライン以外の制御ラインを使用することにより、所望の信号が録画できなくなる危険性を軽減することができる。
【００３５】
図２は、上記図１に示す構成例に適用可能な記録制御処理の一例を説明するためのフローチャートである。まず記録制御装置１０は、ラインＤにより記録装置２０とのデジタル接続を試みて、デジタル接続が成功したかどうかを確認する（ステップＳ１）。デジタル接続が成功すれば、ラインＤを介したデジタル制御により記録（録画）設定を行った後、記録（録画）命令を発行し、その命令の送受信が成功したかどうかを判定する（ステップＳ２）。記録命令の発行が成功すれば、記録装置２０においてその記録命令に従う記録制御を行う（ステップＳ３）。
【００３６】
また、上記ステップＳ１でデジタル接続が成功しなかった場合、または上記ステップＳ２で記録命令の発行が成功しなかった場合、記録制御装置１０ではラインＡにより記録装置２０とのアナログ接続を確立する（ステップＳ４）。そしてラインＲを介したアナログ制御により記録（録画）設定を行った後、記録（録画）命令を発行する（ステップＳ５）。そして記録命令の発行が成功すれば、記録装置２０においてその記録命令に従う記録制御を行う（ステップＳ３）。
【００３７】
図３は、本発明による記録制御装置の他の実施形態を説明するためのブロック図である。本実施形態では、記録制御装置１０は、記録装置２０への録画対象の信号がコピー可能かどうか（コピープロテクトの有無）を判別し、コピー可能である場合に記録装置２０に対してその信号を送信して、所定の記録媒体に記録させる制御を行う。これにより例えば、録画対象の信号がデジタル信号の場合に記録装置２０への送信・記録を許可せずにプロテクトし、アナログ信号である場合には記録装置２０への送信を許可し、アナログ信号を記録装置２０に送信して所定の記録媒体に記録させるような制御が可能となる。
【００３８】
図３の例において、記録制御装置１０の録画要求部１１は、ユーザによる録画予約等の設定操作に従って、記録装置２０に対する録画要求を実行する。ユーザによる設定操作は、例えば記録制御装置１０が内蔵もしくは接続されたテレビジョン受像機に対して行われる。また記録制御装置１０が操作入力部を備えてその操作入力部に対する設定操作に応じて記録（録画）制御を行うようにしてもよい。
【００３９】
録画要求部１１は、上記のような録画予約操作や録画実行操作等に応じて、録画対象の信号を記録装置２０に送出する制御を行う。この場合、コピー制御判定部１６は、録画要求の対象となった信号のコピー制御の有無を判定する。
例えば、記録対象のデジタル放送信号にコピープロテクト情報が埋め込まれ、記録装置２０への送信がその時点で不可能な場合には、コピー制御判定部１６によってデジタル記録が不可能であることを判定する。このときにアナログ放送信号のコピーが可能である場合には、コピー制御判定部１６によってアナログ記録が可能であることを自動判別する。アナログ放送信号のコピー防止機能は例えばマクロビジョン（Macrovision）などの著作権保護技術によって実現されている。
【００４０】
コピー制御判定部１６が、ラインＤを介したデジタル信号の送信が可能であるものと判定したときには、信号接続制御部１３はデジタル制御部１４を動作させ、ラインＤを介してデジタル映像信号を記録装置２０に送信する。記録装置２０では、ラインＤを介して送信されたデジタル信号を所定の記録媒体に記録する。
【００４１】
一方、コピー制御判定部１６が、ラインＤによる送信が不適当あるいは不可能であると判定したときには、信号接続制御部１３は、使用ラインをアナログに切り替える。ここではアナログ制御部１５は、アナログ用のラインＡによって記録制御装置１０と記録装置２０とのアナログ接続を行い、ＩＲ−Ｍｏｕｓｅ用のラインＲを使用して録画コマンド等の制御信号の送受信を行う。
【００４２】
上記のような構成により、コピー制御によって記録装置２０に対するデジタル出力ができない場合には、記録制御装置１０が自動的に判断してアナログ出力を行うようにし、そのアナログ出力された信号を記録装置２０で記録するように制御することができる。
また、このときにコピー制御によってデジタル及びアナログの双方ともに記録することができない場合には、記録制御装置１０は録画要求を拒否して録画記録を実行しないようにする。
【００４３】
上記のように、デジタル信号に埋め込まれたコピー制御情報などにより、デジタル送信が不可能である場合には、記録制御装置１０が自動的に判断してアナログ出力を行うようにし、そのアナログ出力された信号を記録装置２０で記録するように制御することができる。すなわちここでは、デジタルラインの補助として、アナログラインや、デジタルライン以外の制御ラインを使用することにより、コピー制御に応じて録画可能な信号を自動選択して記録装置に送信することができる。
【００４４】
また、上記図３に示すような記録制御装置の他の実施形態として、コピー制御判定部１６の代わりに、もしくはコピー制御判定部１６に加えて、受信した放送信号がデジタル信号かアナログ信号かを判定する図示しないデジタル／アナログ判定部を設けることができる。
【００４５】
デジタル／アナログ判定部は、例えば受信した放送信号がデジタル信号かアナログ信号かを判定して、その判定結果を信号接続制御部１３に出力する。信号接続制御部１３は、デジタル／アナログ判定部における判定結果に従って、デジタル出力するかアナログ出力するかどうかを制御する。
【００４６】
また例えばＥＰＧ（電子番組表）によって録画予約が設定されたときに、そのＥＰＧから該当番組がアナログかデジタルかを判定して、送信するラインを自動判定することができる。
またさらに録画予約を時刻設定しているときに、実際の放送番組に変更があったときなど、放送番組を受信してみないとその時間に放送された番組がデジタル信号かアナログ信号かわからない場合がある。上記デジタル／アナログ判定部は、このような場合であっても放送信号からデジタル信号かアナログ信号かを自動判定して、送信ラインを自動選択することが可能となる。
【００４７】
図４は、上記図３に示す構成例に適用可能な記録制御処理の一例を説明するためのフローチャートである。
記録制御装置１０は、記録装置２０で記録しようとする信号のコピー制御情報を判定する（ステップＳ１１）。ここでデジタル出力が可能であれば、ラインＤを介したデジタル制御により記録（録画）設定を行った後、記録（録画）命令を発行し、その命令の送受信が成功したかどうかを判定する（ステップＳ１２）。記録命令の発行が成功すれば、記録装置２０においてその記録命令に従う記録制御を行う（ステップＳ１３）。
【００４８】
また、上記ステップＳ１１でデジタル信号の出力は不可能であるが、アナログ信号の出力は可能である場合、または上記ステップＳ１２で記録命令の発行が成功しなかった場合、記録制御装置１０ではラインＡにより記録装置２０とのアナログ接続を確立する（ステップＳ１４）。そしてラインＲを介したアナログ制御により記録（録画）設定を行った後、記録（録画）命令を発行する（ステップＳ１５）。そして記録命令の発行が成功すれば、記録装置２０においてその記録命令に従う記録制御を行う（ステップＳ１３）。
【００４９】
また、上記ステップＳ１１でコピー制御情報によってデジタル出力とアナログ出力の双方が不可能である場合、記録装置による記録を行うことができないため、記録制御処理を終了する。
【００５０】
上記のような各実施形態により、映像信号を記録装置に記録するときのバスの状態や、映像信号の制御情報等の内容に応じて、デジタル出力とアナログ出力の自動選択を行うこができるようになり、ユーザの利便性を高めることができる。
【００５１】
なお本発明の構成は、上記のような記録装置の記録制御のみならず、例えば記録されている映像信号を再生し、その再生情報を所定のバスを介して再生装置等に送信する構成に利用することができる。この場合、制御装置は、映像信号を再生装置に送信するときに、バスの接続状態を判定してデジタル出力からアナログ出力に切り替える制御を行うことができる。また再生しようとする映像信号の制御情報等に従って、デジタル出力／アナログ出力を自動判定し、その判定結果に基づく再生制御を行うことができる。
【図面の簡単な説明】
【００５２】
【図１】本発明の記録制御装置の一実施形態を説明するためのブロック図である。
【図２】図１に示す構成例に適用可能な記録制御処理の一例を説明するためのフローチャートである。
【図３】本発明による記録制御装置の他の実施形態を説明するためのブロック図である。
【図４】図３に示す構成例に適用可能な記録制御処理の一例を説明するためのフローチャートである。
【符号の説明】
【００５３】
１０…記録制御装置、１１…録画要求部、１２…接続状態判定部、１３…信号接続制御部、１４…デジタル制御部、１５…アナログ制御部、１６…コピー制御判定部、２０…記録装置。
【図１】
2007141397.tif 000003
【図２】
2007141397.tif 000004
【図３】
2007141397.tif 000005
【図４】
2007141397.tif 000006